Podtech/llm-jp-corpus-v4-ja_patent huggingface dataset:
【手続補正書】
【提出日】平成25年11月29日(2013.11.29)
【手続補正１】
【補正対象書類名】特許請求の範囲
【補正対象項目名】全文
【補正方法】変更
【補正の内容】
【特許請求の範囲】
【請求項１】
入力された第１画像に水平方向の空間周波数成分の帯域制限を行ってから、水平方向の画素数を削減した第２画像を生成する第１生成手段と、
前記第２画像を格納するための記憶手段と、
前記記憶手段に格納された前記第２画像の少なくとも垂直方向の画素を削減することにより、第３画像を生成する第２生成手段と、
を有することを特徴とする画像処理装置。
【請求項２】
前記第１生成手段が、
前記第１画像の水平ラインごとに、各画素に対して、水平方向の空間周波数成分の帯域制限を行う第１ローパスフィルタと、
前記第１ローパスフィルタが適用された水平ラインの画素を間引く第１縮小手段と、
を有することを特徴とする請求項１記載の画像処理装置。
【請求項３】
前記第２生成手段が、
前記第２画像の各画素に対して、水平方向及び垂直方向のうち少なくとも垂直方向の空間周波数成分の帯域制限を行う第２ローパスフィルタと、
前記第２ローパスフィルタが適用された前記第２画像の画素を水平方向及び垂直方向のうち少なくとも垂直方向で間引き、前記第３画像を生成する第２縮小手段と、
を有することを特徴とする請求項１又は請求項２記載の画像処理装置。
【請求項４】
前記第２縮小手段は、前記第２ローパスフィルタが適用された前記第２画像の画素を水平方向及び垂直方向で間引き、前記第３画像を生成することを特徴とする請求項３に記載の画像処理装置。
【請求項５】
さらに、前記記憶手段に格納された前記第２画像に含まれる欠陥画素を補正する補正手段を有し、
前記第２生成手段は、前記補正手段により補正された前記第２画像から前記第３画像を生成することを特徴とする請求項１乃至請求項４のいずれか１項に記載の画像処理装置。
【請求項６】
前記記憶手段が、垂直方向に配列された複数のラインメモリから構成され、
前記第１画像の水平画素数が前記ラインメモリに収まる画素数以下であれば前記第１画像を前記記憶手段に格納し、前記第１画像の水平画素数が前記ラインメモリに収まる画素数を超えていれば前記第１画像を前記第１生成手段に供給する画素数判定手段をさらに有することを特徴とする請求項１乃至請求項５のいずれか１項に記載の画像処理装置。
【請求項７】
前記第１画像は、カラーフィルタを備えた撮像素子で得られた、各画素が単色輝度情報を有するＲＡＷ画像であることを特徴とする請求項１乃至請求項６のいずれか１項に記載の画像処理装置。
【請求項８】
前記第１画像は、カラーフィルタを備えた撮像素子で得られた、各画素が単色輝度情報を有するＲＡＷ画像であって、
前記第１縮小手段により間引きが行われた各水平ラインの各画素が有する色成分のうち１つを選択することで、前記ＲＡＷ画像と同一の色配列を有する前記第２画像を生成する再配置手段をさらに有することを特徴とする請求項２乃至請求項６のいずれか１項に記載の画像処理装置。
【請求項９】
第１生成手段が、入力された第１画像に水平方向の空間周波数成分の帯域制限を行ってから、水平方向の画素数を削減した第２画像を生成し、前記第２画像を記憶手段に格納する第１生成工程と、
第２生成手段が、前記記憶手段に格納された前記第２画像の少なくとも垂直方向の画素を削減することにより、第３画像を生成する第２生成工程と、
を有することを特徴とする画像処理装置の制御方法。
【請求項１０】
コンピュータを、請求項１乃至請求項８のいずれか１項に記載の画像処理装置の各手段として機能させるためのプログラム。
【手続補正２】
【補正対象書類名】明細書
【補正対象項目名】００１０
【補正方法】変更
【補正の内容】
【００１０】
上述の目的は、入力された第１画像に水平方向の空間周波数成分の帯域制限を行ってから、水平方向の画素数を削減した第２画像を生成する第１生成手段と、第２画像を格納するための記憶手段と、記憶手段に格納された第２画像の少なくとも垂直方向の画素を削減することにより、第３画像を生成する第２生成手段と、を有することを特徴とする画像処理装置によって達成される。
【手続補正書】
【提出日】平成25年12月2日(2013.12.2)
【手続補正１】
【補正対象書類名】特許請求の範囲
【補正対象項目名】全文
【補正方法】変更
【補正の内容】
【特許請求の範囲】
【請求項１】
画像データから特定の被写体を検出する検出ステップと、
検出された被写体の輝度信号から被写体の明るさを示す代表値を取得する取得ステップと、
画像データから白飛び量を算出する算出ステップと、
前記取得ステップにより取得された代表値に応じて前記白飛び量を制限する制限ステップと、
前記制限された白飛び量に応じて、予め備えた複数の非線形特性の中から１つの非線形特性を選択する選択ステップと、
選択された非線形特性に応じて、画像データのガンマ補正を行うガンマ補正ステップと、を有することを特徴とする画像処理方法。
【請求項２】
前記特定の被写体は顔であることを特徴とする請求項１記載の画像処理方法。
【請求項３】
前記白飛び量の制限は、白飛び量に応じた非線形特性において、前記特定の被写体の明るさが抑圧されない非線形特性の中で最大の白飛び量を上限値とすることを特徴とする請求項１または２記載の画像処理方法。
【請求項４】
以前のフレームで算出された白飛び量を記憶しておき、現在のフレームで算出された白飛び量と記憶されている白飛び量を比較するステップをさらに備え、
前記制限ステップは、前記記憶されている白飛び量に対して現在のフレームで算出された白飛び量が大きければ記憶されている白飛び量の加算を行い、小さければ記憶されている白飛び量の減算を行い、前記選択ステップは、前記制限ステップにより加算又は減算された白飛び量に従い非線形特性を選択することを特徴とする請求項１〜３のいずれか１項に記載の画像処理方法。
【請求項５】
記憶されている白飛び量が白飛び量の制限内かどうかを判定する白飛び量制限判定ステップをさらに備え、前記制限ステップは、白飛び量が制限外であれば前記加算又は減算を大きくすることを特徴とする請求項４記載の画像処理方法。
【請求項６】
画像データから特定の被写体を検出する検出手段と、
検出された被写体の輝度信号から被写体の明るさを示す代表値を取得する取得手段と、
画像データから白飛び量を算出する算出手段と、
前記取得手段により取得された代表値に応じて前記白飛び量を制限する制限手段と、
前記制限された白飛び量に応じて、予め備えた複数の非線形特性の中から１つの非線形特性を選択する選択手段と、
選択された非線形特性に応じて、画像データのガンマ補正を行うガンマ補正手段と、を有することを特徴とする画像処理装置。
【請求項７】
前記特定の被写体は顔であることを特徴とする請求項６記載の画像処理装置。
【請求項８】
前記白飛び量の制限は、白飛び量に応じた非線形特性において、前記特定の被写体の明るさが抑圧されない非線形特性の中で最大の白飛び量を上限値とすることを特徴とする請求項６または７記載の画像処理装置。
【請求項９】
前記制限手段は、前記記憶されている白飛び量に対して現在のフレームで算出された白飛び量が大きければ記憶されている白飛び量の加算を行い、小さければ記憶されている白飛び量の減算を行い、前記選択手段は、前記制限手段により加算又は減算された白飛び量に従い非線形特性を選択することを特徴とする請求項６〜８のいずれか１項に記載の画像処理装置。
【請求項１０】
前記制限手段は、白飛び量が制限外であれば前記加算又は減算を大きくすることを特徴とする請求項９記載の画像処理装置。
【請求項１１】
コンピュータに、請求項１に記載の画像処理方法を実行するためのプログラムを記憶したコンピュータにより読み取り可能な記憶媒体。
【請求項１２】
請求項１に記載の画像処理方法をコンピュータに実行させるためのプログラム。
【手続補正２】
【補正対象書類名】明細書
【補正対象項目名】発明の名称
【補正方法】変更
【補正の内容】
【発明の名称】画像処理方法、画像処理装置、記憶媒体及びプログラム
【手続補正書】
【提出日】平成25年11月14日(2013.11.14)
【手続補正１】
【補正対象書類名】特許請求の範囲
【補正対象項目名】全文
【補正方法】変更
【補正の内容】
【特許請求の範囲】
【請求項１】
振動片を備え、
前記振動片は、
第１の方向に沿って延在している切り欠きを有している基部と、
前記基部から前記第１の方向と交差している第２の方向に沿って突出している振動腕と、
を含み、
前記切り欠きは、
平面視で前記振動腕の前記第２の方向と直交した方向の幅の中心を通ると共に前記第２の方向に沿っている仮想直線と交差しており、
かつ前記基部の主面の外縁に挟まれて画定される前記第２の方向の幅を複数有することを特徴とする電子機器。
【請求項２】
請求項１において、
平面視で、前記切り欠きは、前記基部の前記第２の方向と直交した方向の幅の中心を通ると共に前記第２の方向に沿った仮想中心線と前記仮想直線との間にまで延在していることを特徴とする電子機器。
【請求項３】
請求項１または２において、
前記切り欠きの前記外縁は、前記第１の方向に対して傾斜している箇所を含んでいることを特徴とする電子機器。
【請求項４】
請求項１乃至３の何れか一項において、
前記振動腕には前記第２の方向に沿って延在している溝が設けられていることを特徴とする電子機器。
【請求項５】
請求項１乃至４の何れか一項において、
前記振動片は音叉型水晶振動片であることを特徴とする電子機器。
【請求項６】
振動片を備え、
前記振動片は、
第１の方向に沿って並んでいる切り欠きおよび連結部、
前記第１の方向と交差する方向に沿って前記切り欠きおよび前記連結部の一方側に並んでおり前記連結部に連結されている第１の部分、
及び前記交差する方向に沿って前記切り欠きおよび前記連結部の他方側に並んでおり前記連結部に連結されている第２の部分、
を含む基部と、
前記第１の部分から前記第１の方向と交差している第２の方向に沿って突出している振動腕と、を含み、
前記切り欠きは、
平面視で前記振動腕の前記第２の方向と直交した方向の幅の中心を通ると共に前記第２の方向に沿っている仮想直線と交差しており、
かつ前記基部の主面の外縁に挟まれて画定される前記第２の方向の幅を複数有することを特徴とする電子機器。
【請求項７】
請求項６において、
平面視で、前記切り欠きは、前記連結部の前記第２の方向と直交した方向の幅の中心を通ると共に前記第２の方向に沿った仮想中心線と前記仮想直線との間にまで延在していることを特徴とする電子機器。
【請求項８】
請求項６または７において、
前記切り欠きの前記外縁は、前記第１の方向に対して傾斜している箇所を含んでいることを特徴とする電子機器。
【請求項９】
請求項６乃至８の何れか一項において、
前記振動腕には前記第２の方向に沿って延在している溝が設けられていることを特徴とする電子機器。
【請求項１０】
請求項６乃至９の何れか一項において、
前記振動片は音叉型水晶振動片であることを特徴とする電子機器。
【手続補正２】
【補正対象書類名】明細書
【補正対象項目名】０００５
【補正方法】変更
【補正の内容】
【０００５】
本発明は、上記課題の少なくとも一部を解決するためになされたものであり、以下の形態または適用例として実現することが可能である。
本発明のある形態に係る電子機器は、振動片を備え、前記振動片は、第１の方向に沿って延在している切り欠きを有している基部と、前記基部から前記第１の方向と交差している第２の方向に沿って突出している振動腕と、を含み、前記切り欠きは、平面視で前記振動腕の前記第２の方向と直交した方向の幅の中心を通ると共に前記第２の方向に沿っている仮想直線と交差しており、かつ前記基部の主面の外縁に挟まれて画定される前記第２の方向の幅を複数有することを特徴とする。
本発明のある別の形態に係る電子機器は、平面視で、前記切り欠きは、前記基部の前記第２の方向と直交した方向の幅の中心を通ると共に前記第２の方向に沿った仮想中心線と前記仮想直線との間にまで延在していることを特徴とする。
本発明のある別の形態に係る電子機器は、前記切り欠きの前記外縁は、前記第１の方向に対して傾斜している箇所を含んでいることを特徴とする。
本発明のある別の形態に係る電子機器は、前記振動腕には前記第２の方向に沿って延在している溝が設けられていることを特徴とする。
本発明のある別の形態に係る電子機器は、音叉型水晶振動片であることを特徴とする。
本発明のある別の形態に係る電子機器は、振動片を備え、前記振動片は、第１の方向に沿って並んでいる切り欠きおよび連結部、前記第１の方向と交差する方向に沿って前記切り欠きおよび前記連結部の一方側に並んでおり前記連結部に連結されている第１の部分、及び前記交差する方向に沿って前記切り欠きおよび前記連結部の他方側に並んでおり前記連結部に連結されている第２の部分、を含む基部と、前記第１の部分から前記第１の方向と交差している第２の方向に沿って突出している振動腕と、を含み、前記切り欠きは、平面視で前記振動腕の前記第２の方向と直交した方向の幅の中心を通ると共に前記第２の方向に沿っている仮想直線と交差しており、かつ前記基部の主面の外縁に挟まれて画定される前記第２の方向の幅を複数有することを特徴とする。
本発明のある別の形態に係る振動子は、平面視で、前記切り欠きは、前記連結部の前記第２の方向と直交した方向の幅の中心を通ると共に前記第２の方向に沿った仮想中心線と前記仮想直線との間にまで延在していることを特徴とする。
本発明のある別の形態に係る電子機器は、前記切り欠きの前記外縁は、前記第１の方向に対して傾斜している箇所を含んでいることを特徴とする。
本発明のある別の形態に係る電子機器は、前記振動腕には前記第２の方向に沿って延在している溝が設けられていることを特徴とする。
本発明のある別の形態に係る電子機器は、音叉型水晶振動片であることを特徴とする。
【手続補正書】
【提出日】平成26年6月9日(2014.6.9)
【手続補正１】
【補正対象書類名】特許請求の範囲
【補正対象項目名】全文
【補正方法】変更
【補正の内容】
【特許請求の範囲】
【請求項１】
被転写部材上に画像を形成するため、キャリア液中にトナーが分散された現像液を用いて像担持体上にトナー像を形成する湿式画像形成装置であって、
表面に担持した前記現像液を前記像担持体と対向する現像位置に搬送する現像液担持体を含み、前記現像液担持体に現像バイアスが印加されることによって、前記現像液担持体に担持される前記現像液中の前記トナーを前記像担持体に付着させるとともに、前記像担持体上の静電潜像を前記トナーにより顕像化して前記像担持体上に前記トナー像を形成する像形成手段と、
前記像形成手段により形成されたパッチ画像としての前記トナー像の画像濃度を検出する濃度検出手段と、
前記現像液担持体上の前記トナーの帯電量を制御する帯電量制御手段と、を備え、
前記現像液担持体に印加される前記現像バイアスが所定の値に保持された状態で、前記帯電量制御手段が前記現像液担持体上の前記トナーの帯電量を順次変化させつつ前記像形成手段が複数の前記パッチ画像を形成し、
前記濃度検出手段が複数の前記パッチ画像の各々の前記画像濃度を検出することによって、前記現像バイアスが前記所定の値に設定された状態で前記パッチ画像の前記画像濃度が略飽和する前記トナーの帯電量の範囲が検出され、
前記被転写部材上に前記画像を形成する通常の画像形成が行なわれる際の前記トナーの帯電量は、前記パッチ画像の前記画像濃度が略飽和する前記トナーの帯電量の前記範囲内であって、前記パッチ画像の形成において前記画像濃度が最大となるときの前記トナーの帯電量の最大値以上の範囲となるように設定される、
湿式画像形成装置。
【請求項２】
前記現像液担持体上のトナー量を制御するトナー量制御手段をさらに備え、
前記トナーの帯電量が設定される際には、
前記パッチ画像の前記画像濃度が飽和するように前記トナーの帯電量が仮の値に設定された状態で前記トナー量の初期値が検出され、
前記トナー量制御手段は、前記パッチ画像の飽和するときの前記画像濃度が、所定の画像濃度となるように、前記現像液担持体上の前記トナー量を前記初期値から調整する、
請求項１に記載の湿式画像形成装置。
【請求項３】
前記トナーの帯電量および前記トナー量が設定された後、前記濃度検出手段は、前記像形成手段により形成された中間調濃度を有する前記パッチ画像の前記画像濃度を検出し、
前記濃度検出手段が検出した前記中間調濃度を有する前記パッチ画像の前記画像濃度に応じて前記像担持体における露光条件が調整されることによって、前記通常の画像形成が行なわれる際の中間調の前記トナー像の前記画像濃度が所望の値となるように設定される、
請求項２に記載の湿式画像形成装置。
【請求項４】
前記濃度検出手段は、前記パッチ画像に光を照射し、前記パッチ画像からの反射光を検出することによって前記パッチ画像の前記画像濃度を検出する、
請求項１〜３のいずれかに記載の湿式画像形成装置。
【請求項５】
前記濃度検出手段は、前記パッチ画像に光を照射し、前記パッチ画像を透過した透過光を検出することによって前記パッチ画像の前記画像濃度を検出する、
請求項１〜３のいずれかに記載の湿式画像形成装置。
【請求項６】
前記濃度検出手段は、前記像担持体上に形成された前記パッチ画像の前記画像濃度を検出する、
請求項１から４のいずれかに記載の湿式画像形成装置。
【請求項７】
前記濃度検出手段は、前記被転写部材上に形成された前記パッチ画像の前記画像濃度を検出する、
請求項１から４のいずれかに記載の湿式画像形成装置。
【請求項８】
前記像担持体と前記被転写部材との間には中間転写ローラーが配置され、
前記濃度検出手段は、前記中間転写ローラー上に形成された前記パッチ画像の前記画像濃度を検出する、
請求項１から５のいずれかに記載の湿式画像形成装置。
【手続補正２】
【補正対象書類名】明細書
【補正対象項目名】００１２
【補正方法】変更
【補正の内容】
【００１２】
本発明に基づく湿式画像形成装置は、被転写部材上に画像を形成するため、キャリア液中にトナーが分散された現像液を用いて像担持体上にトナー像を形成する湿式画像形成装置であって、表面に担持した上記現像液を上記像担持体と対向する現像位置に搬送する現像液担持体を含み、上記現像液担持体に現像バイアスが印加されることによって、上記現像液担持体に担持される上記現像液中の上記トナーを上記像担持体に付着させるとともに、上記像担持体上の静電潜像を上記トナーにより顕像化して上記像担持体上に上記トナー像を形成する像形成手段と、上記像形成手段により形成されたパッチ画像としての上記トナー像の画像濃度を検出する濃度検出手段と、上記現像液担持体上の上記トナーの帯電量を制御する帯電量制御手段と、を備え、上記現像液担持体に印加される上記現像バイアスが所定の値に保持された状態で、上記帯電量制御手段が上記現像液担持体上の上記トナーの帯電量を順次変化させつつ上記像形成手段が複数の上記パッチ画像を形成し、上記濃度検出手段が複数の上記パッチ画像の各々の上記画像濃度を検出することによって、上記現像バイアスが上記所定の値に設定された状態で上記パッチ画像の上記画像濃度が略飽和する上記トナーの帯電量の範囲が検出され、上記被転写部材上に上記画像を形成する通常の画像形成が行なわれる際の上記トナーの帯電量は、上記パッチ画像の上記画像濃度が略飽和する上記トナーの帯電量の上記範囲内であって、上記パッチ画像の形成において前記画像濃度が最大となるときの上記トナーの帯電量の最大値以上の範囲となるように設定される。
【手続補正３】
【補正対象書類名】明細書
【補正対象項目名】００１３
【補正方法】変更
【補正の内容】
【００１３】
好ましくは、上記現像液担持体上のトナー量を制御するトナー量制御手段をさらに備え、上記トナーの帯電量が設定される際には、上記パッチ画像の上記画像濃度が飽和するように上記トナーの帯電量が仮の値に設定された状態で上記トナー量の初期値が検出され、上記トナー量制御手段は、上記パッチ画像の飽和するときの上記画像濃度が、所定の画像濃度となるように、上記現像液担持体上の上記トナー量を上記初期値から調整する。
【手続補正書】
【提出日】平成26年8月29日(2014.8.29)
【手続補正１】
【補正対象書類名】特許請求の範囲
【補正対象項目名】全文
【補正方法】変更
【補正の内容】
【特許請求の範囲】
【請求項１】
（ａ）１級アルカノールアミン１〜２０重量％；
（ｂ）アルコール１０〜６０重量％；及び
（ｃ）極性有機溶剤５〜７０重量％；を含むＬＣＤ製造用フォトレジスト剥離液組成物。
【請求項２】
１級アルカノールアミンが、２−アミノ−２−メチル−１−プロパノール（2-amino-2-methyl-1-propanol）であることを特徴とする、請求項１に記載のＬＣＤ製造用フォトレジスト剥離液組成物。
【請求項３】
アルコールが、エチレングリコール（Ethylene Glycol）、１−ヘキサノール（1-Hexanol）、オクタノール（Octanol）、１−ヘプタノール（1-Heptanol）、１−デカノール（1-Decanol）、２−ヘプタノール（2-Heptanol）及びテトラヒドロフルフリルアルコール（Tetrahydrofurfurylalcohol）からなる群から選ばれた１種以上であることを特徴とする、請求項１または２に記載のＬＣＤ用フォトレジスト剥離液組成物。
【手続補正書】
【提出日】平成26年3月28日(2014.3.28)
【手続補正１】
【補正対象書類名】特許請求の範囲
【補正対象項目名】全文
【補正方法】変更
【補正の内容】
【特許請求の範囲】
【請求項１】
画素と、
前記画素と電気的に接続されたソース配線と、
前記画素と電気的に接続されたゲート配線と、
前記ソース配線側の接続端子部と、を有し、
前記接続端子部は、第１の導電層を有し、
前記接続端子部は、前記第１の導電層上方の第１の絶縁層を有し、
前記接続端子部は、前記第１の絶縁層上方の第１の半導体層有し、
前記接続端子部は、前記第１の半導体層上方の第２の半導体層を有し、
前記接続端子部は、前記第２の半導体層上方の第２の導電層を有し、
前記接続端子部は、前記第２の導電層上方の第２の絶縁層を有し、
前記接続端子部は、前記第２の絶縁層上方の第３の導電層を有し、
前記第２の絶縁層は、前記第１の半導体層の上面の少なくとも一部と接する領域を有し、
前記第１の導電層は、前記第３の導電層の少なくとも一部と接する領域を有し、
前記第２の導電層は、前記第３の導電層の少なくとも一部と接する領域を有し、
前記第３の導電層は、前記第２の絶縁層の側面の少なくとも一部と接する領域を有することを特徴とする表示装置。
【請求項２】
画素と、
前記画素と電気的に接続されたソース配線と、
前記画素と電気的に接続されたゲート配線と、
前記ソース配線側の接続端子部と、を有し、
前記接続端子部は、第１の導電層を有し、
前記接続端子部は、前記第１の導電層上方の第１の絶縁層を有し、
前記接続端子部は、前記第１の絶縁層上方の第１の半導体層有し、
前記接続端子部は、前記第１の半導体層上方の第２の半導体層を有し、
前記接続端子部は、前記第２の半導体層上方の第２の導電層を有し、
前記接続端子部は、前記第２の導電層上方の第２の絶縁層を有し、
前記接続端子部は、前記第２の絶縁層上方の第３の導電層を有し、
前記第１の半導体層は、第１の膜厚であって且つ前記第２の半導体層と重なる領域を有し、
前記第１の半導体層は、第２の膜厚であって且つ前記第２の半導体層と重ならない領域を有し、
前記第１の膜厚は、前記第２の膜厚よりも大きく、
前記第１の導電層は、前記第３の導電層の少なくとも一部と接する領域を有し、
前記第２の導電層は、前記第３の導電層の少なくとも一部と接する領域を有し、
前記第３の導電層は、前記第２の絶縁層の側面の少なくとも一部と接する領域を有することを特徴とする表示装置。
【請求項３】
画素と、
前記画素と電気的に接続されたソース配線と、
前記画素と電気的に接続されたゲート配線と、
前記ソース配線側の接続端子部と、を有し、
前記接続端子部は、第１の導電層を有し、
前記接続端子部は、前記第１の導電層上方の第１の絶縁層を有し、
前記接続端子部は、前記第１の絶縁層上方の第１の半導体層有し、
前記接続端子部は、前記第１の半導体層上方の第２の半導体層を有し、
前記接続端子部は、前記第２の半導体層上方の第２の導電層を有し、
前記接続端子部は、前記第２の導電層上方の第２の絶縁層を有し、
前記接続端子部は、前記第２の絶縁層上方の第３の導電層を有し、
前記第２の絶縁層は、前記第２の半導体層を介さずに前記第１の半導体層と重なる領域を有し、
前記第１の導電層は、前記第３の導電層の少なくとも一部と接する領域を有し、
前記第２の導電層は、前記第３の導電層の少なくとも一部と接する領域を有し、
前記第３の導電層は、前記第２の絶縁層の側面の少なくとも一部と接する領域を有することを特徴とする表示装置。
【請求項４】
請求項１乃至請求項３のいずれか一項において、
前記第２の導電層の全領域が前記第２の半導体層と接することを特徴とする表示装置。
【請求項５】
請求項１乃至請求項４のいずれか一項において、
前記第２の絶縁層は、前記第１の半導体層の側面の少なくとも一部と接する領域を有し、
前記第２の絶縁層は、前記第１の半導体層の上面の少なくとも一部と接する領域を有し、
前記第２の絶縁層は、前記第２の半導体層の側面の少なくとも一部と接する領域を有することを特徴とする表示装置。
【請求項６】
請求項１乃至請求項５のいずれか一項において、
前記画素は、トランジスタを有し、
前記画素は、画素電極を有し、
前記第１の導電層は、前記トランジスタのゲート電極と同層であり、
前記第１の半導体層は、前記トランジスタのチャネル形成領域を有する半導体層と同層であり、
前記第２の半導体層は、前記トランジスタのソース領域又はドレイン領域を有する半導体層と同層であり、
前記第２の導電層は、前記トランジスタのソース電極又はドレイン電極と同層であり、
前記第３の導電層は、前記画素電極と同層であることを特徴とする表示装置。
【手続補正書】
【提出日】平成26年2月27日(2014.2.27)
【手続補正１】
【補正対象書類名】特許請求の範囲
【補正対象項目名】全文
【補正方法】変更
【補正の内容】
【特許請求の範囲】
【請求項１】
画像形成装置の装置本体に着脱可能なカートリッジであって、
第１枠体と、
被給電部材と、
前記第１枠体に設けられた穴に取り付けることによって前記被給電部材を前記第１枠体に固定する、導電性を有する固定部材であって、前記被給電部材に電気的に接続する固定部材と、
前記第１枠体に設けられた、前記穴と繋がった凹部と、
前記凹部に導電性の溶融樹脂が注入されることによって形成された樹脂成形部であって、前記カートリッジが前記装置本体に装着された際に、前記装置本体に設けられた給電部と前記固定部材を電気的に接続する樹脂成形部と、
を有するカートリッジ。
【請求項２】
前記固定部材はビスであり、前記穴は前記ビスが取り付けられるビス穴であることを特徴とする請求項１に記載のカートリッジ。
【請求項３】
前記カートリッジは、前記第１枠体に取り付けられた第２枠体を有し、前記凹部に樹脂を注入する注入口は前記第２枠体に設けられている請求項１又は２に記載のカートリッジ。
【請求項４】
前記カートリッジは、前記第１枠体に取り付けられた第２枠体を有し、前記給電部が接触する接触部は、前記第２枠体を貫通して前記第２枠体から露出している前記樹脂成形部の端部である請求項１乃至３のいずれか１項に記載のカートリッジ。
【請求項５】
前記給電部が接触する接触部は、前記注入口から露出している請求項３に記載のカートリッジ。
【請求項６】
前記第２枠体は、前記凹部と前記注入口を繋ぐ連通孔を有する請求項３に記載のカートリッジ。
【請求項７】
前記連通孔の軸線と直交する断面の大きさは、前記連通孔の軸線の方向において前記凹
部側が前記注入口側よりも小さい請求項６に記載のカートリッジ。
【請求項８】
前記第２枠体には、前記注入口と前記給電部が接触する接触部を有する接点部であって、導電性樹脂で一体成形された接点部が設けられている請求項３に記載のカートリッジ。
【請求項９】
前記被給電部材は、感光体に形成された静電潜像を現像する現像剤担持体に担持される現像剤の量を規制する規制部材である請求項１乃至８のいずれか１項に記載のカートリッジ。
【請求項１０】
前記被給電部材は、感光体の表面から現像剤を除去するクリーニング部材である請求項１乃至８のいずれか１項に記載のカートリッジ。
【手続補正２】
【補正対象書類名】明細書
【補正対象項目名】０００６
【補正方法】変更
【補正の内容】
【０００６】
上記目的を達成するため、本発明に係るカートリッジは、画像形成装置の装置本体に着脱可能なカートリッジであって、
第１枠体と、
被給電部材と、
前記第１枠体に設けられた穴に取り付けることによって前記被給電部材を前記第１枠体に固定する、導電性を有する固定部材であって、前記被給電部材に電気的に接続する固定部材と、
前記第１枠体に設けられた、前記穴と繋がった凹部と、
前記凹部に導電性の溶融樹脂が注入されることによって形成された樹脂成形部であって、前記カートリッジが前記装置本体に装着された際に、前記装置本体に設けられた給電部と前記固定部材を電気的に接続する樹脂成形部と、
を有する。
【手続補正３】
【補正対象書類名】明細書
【補正対象項目名】００１１
【補正方法】変更
【補正の内容】
【００１１】
［プロセスカートリッジ］
本実施例に係るプロセスカートリッジＢは、感光体ユニットＣと、現像ユニット（現像装置）Ｄを一体的にカートリッジ化し、装置本体Ａに着脱可能（装着可能）としたものである。感光体ユニットＣは、感光体ドラム１０、帯電手段である帯電ローラ１１、クリーニング手段であるクリーニングブレード１２などを有する。現像装置Ｄは、現像手段としての現像ローラ２３、供給ローラ２２、現像ブレード（規制部材）２４、トナー収納部２０、及び現像容器（現像枠体）２１などを有する。本実施例において、現像手段は次のように現像を行うものである。まず、トナー収納部２０のトナーを供給ローラ２２の回転によって現像剤担持体である現像ローラ２３へ供給し、現像ブレード２４によって現像ローラ２３の表面に担持されるトナーの量を規制しトナー層を形成する。そして、そのトナーを静電潜像に応じて感光体ドラム１０へ転移させることによってトナー像を形成して可視像化する。本実施例において、クリーニング手段は、転写ローラ５によってトナー像を記録媒体Ｐに転写した後の感光体ドラム１０に対し、クリーニングブレード１２によって感光体ドラム１０上に残留したトナーを除去するものである。クリーニングブレード１２は、そのエッジ部をカウンターの向きで感光体ドラム１０に当接するように設けられた弾性
ブレード１２ａによって感光体ドラム１０上の残留トナーを掻き落としてクリーニング枠体１３へと集める。
【手続補正書】
【提出日】平成26年4月23日(2014.4.23)
【手続補正１】
【補正対象書類名】特許請求の範囲
【補正対象項目名】全文
【補正方法】変更
【補正の内容】
【特許請求の範囲】
【請求項１】
金属製のフレーム枠を備える薄型表示装置であって、
前記フレーム枠は、曲げ加工された複数のフレーム部材を結合して構成されており、
前記フレーム部材における前記曲げ加工される部分には、曲げ加工前の状態で、前記所定のカットの形状の先端部分に曲げ加工用の切り欠きが形成されている
ことを特徴とする薄型表示装置。
【請求項２】
前記切り欠きは、曲げ加工前は前記所定形状であるＶカットの形状で離間しており、曲げ加工後には互いが当接することで前記曲げ加工の量を所定に規制する二つの規制手段とが形成されていることを特徴とする請求項１に記載の薄型表示装置。
【手続補正２】
【補正対象書類名】明細書
【補正対象項目名】０００９
【補正方法】変更
【補正の内容】
【０００９】
本発明に係る薄型表示装置は、金属製のフレーム枠を備える薄型表示装置であって、前記フレーム枠は、曲げ加工された複数のフレーム部材を結合して構成されており、前記フレーム部材における前記曲げ加工される部分には、曲げ加工前の状態で、前記所定のカットの形状の先端部分に曲げ加工用の切り欠きが形成されている。
また、前記切り欠きは、曲げ加工前は前記所定形状であるＶカットの形状で離間しており、曲げ加工後には互いが当接することで前記曲げ加工の量を所定に規制する二つの規制手段とが形成されてもよい。
【手続補正書】
【提出日】平成26年8月26日(2014.8.26)
【手続補正１】
【補正対象書類名】特許請求の範囲
【補正対象項目名】全文
【補正方法】変更
【補正の内容】
【特許請求の範囲】
【請求項１】
オンラインショッピングの環境において商品のコレクションの範囲内で複数の商品を特定するコンピュータにより実行される方法であって、
売りに出された商品のコレクションを表示する画像のコレクションを蓄積するデータ・ストアを準備するステップと、
前記データ・ストアに接続されているプロセッサが、１以上の検索要求の色と、当該１以上の検索要求の色が、商品の主要な色、商品の中に存在する色のうちの１つ、および商品の詳細な部分の色、のうちのいずれか１つまたはそれらのうちの２以上の組み合わせのいずれとして探知されるべきであるかを示す嗜好と、を含む検索条件を受け取るステップと、
前記プロセッサが、前記画像のコレクションに含まれる画像の色を、当該画像の色空間と画素空間の両方に関し抽出するステップと、
前記プロセッサが、前記１以上の検索要求の色と前記嗜好とを、前記抽出した色と比較し、予め決められた精度の範囲内において、前記画像のコレクションの中から、前記１以上の検索要求の色を前記嗜好に応じた部分に有する１以上の商品を特定するステップと、
前記特定された１以上の商品を前記プロセッサに接続されたインターフェースに提示するステップと
を備える方法。
【請求項２】
アップロードされた画像から１以上の色を抽出し、当該抽出した１以上の色を前記１以上の検索要求の色とするステップをさらに備える
請求項１に記載の方法。
【請求項３】
前記プロセッサが抽出した前記画像のコレクションに含まれる画像の色を、前記１以上の検索要求の色の推奨として提供するステップをさらに備える
請求項１に記載の方法。
【請求項４】
前記提示するステップにおいて、前記プロセッサが特定した前記１以上の商品の各々に関し、当該商品の画像と、当該画像から抽出された１以上の色の各々を示す画像とを前記インターフェースを介して見込み消費者に提示する
請求項１に記載の方法。
【請求項５】
前記提示するステップにおいて、前記プロセッサが特定した前記１以上の商品の各々に関し、当該商品の画像から抽出された１以上の色の各々の当該画像における支配率を提示する
請求項４に記載の方法。
【請求項６】
前記提示するステップにおいて、前記プロセッサが特定した前記１以上の商品の各々に関し、当該商品の画像から抽出された１以上の色の各々の当該画像における割合に比例した面積の図形を提示する
請求項４に記載の方法。
【請求項７】
前記提示するステップにおいて、前記プロセッサが特定した前記１以上の商品の各々に関し、当該商品の画像から抽出された１以上の色の各々の当該画像における割合を示す幾何学的形状または数量を提示する
請求項４に記載の方法。
【請求項８】
前記特定するステップは、前記画像のコレクションに含まれる対象の画像に関し、
前記対象の画像を構成する複数の画素における発生頻度に基づき主要な色を特定し、前記対象の画像に含まれる当該特定した主要な色のクラスタを特定するステップと、
前記対象の画像の色空間および画素空間において所定の閾値以下の距離の２つのクラスタを統合するステップと
を備える請求項１に記載の方法。
【請求項９】
オンラインショッピングの環境において商品のコレクションの範囲内で複数の商品を特定するシステムであって、
売りに出された商品のコレクションを表示する画像のコレクションを蓄積するデータ・ストアと、
１以上の検索要求の色と、当該１以上の検索要求の色が、商品の主要な色、商品の中に存在する色のうちの１つ、および商品の詳細な部分の色、のうちのいずれか１つまたはそれらのうちの２以上の組み合わせのいずれとして探知されるべきであるかを示す嗜好と、を含む検索条件を受け取るための検索条件入力部分を有するインターフェースと、
前記画像のコレクションに含まれる画像の色を、当該画像の色空間と画素空間の両方に関し抽出するコレクション・パレット・プロセッサと、
前記１以上の検索要求の色と前記嗜好とを、前記抽出した色と比較し、予め決められた精度の範囲内において、前記画像のコレクションの中から、前記１以上の検索要求の色を前記嗜好に応じた部分に有する１以上の商品を特定するカラー・サーチ・プロセッサと、
前記カラー・サーチ・プロセッサに接続され、前記特定された１以上の商品を提示するディスプレイ装置と
を備えるシステム。
【請求項１０】
前記インターフェースは、画像から１以上の色を抽出し、当該抽出した１以上の色を前記１以上の検索要求の色とするために、当該画像のアップロードの開始を指示するための部分を有する
請求項９に記載のシステム。
【請求項１１】
前記インターフェースは、前記コレクション・パレット・プロセッサが抽出した前記画像のコレクションに含まれる画像の色を、前記１以上の検索要求の色の推奨として提供する推奨部分を有する
請求項９に記載のシステム。
【請求項１２】
前記ディスプレイ装置は、前記特定された１以上の商品を見込み消費者に提示する
請求項１１に記載のシステム。
【請求項１３】
前記ディスプレイ装置は、前記特定された１以上の商品の提示として、前記１以上の商品の各々に関し、当該商品の画像と、当該画像から抽出された１以上の色の各々を示す画像とを提示する
請求項９に記載のシステム。
【請求項１４】
前記ディスプレイ装置は、前記特定された前記１以上の商品の各々に関し、当該商品の画像から抽出された１以上の色の各々の当該画像における割合に比例した面積の図形を提示する
請求項１３に記載のシステム。
【請求項１５】
前記コレクション・パレット・プロセッサは、前記画像のコレクションに含まれる対象の画像に関し、
前記対象の画像を構成する複数の画素における発生頻度に基づき主要な色を特定し、前記対象の画像に含まれる当該特定した主要な色のクラスタを特定し、
前記対象の画像の色空間および画素空間において所定の閾値以下の距離の２つのクラスタを統合する
ことにより、前記画像のコレクションに含まれる画像の色を抽出する
請求項９に記載のシステム。
【手続補正書】
【提出日】平成26年7月25日(2014.7.25)
【手続補正１】
【補正対象書類名】特許請求の範囲
【補正対象項目名】全文
【補正方法】変更
【補正の内容】
【特許請求の範囲】
【請求項１】
ｋｅｙと前記ｋｅｙに対応するｖａｌｕｅの組であるｋｅｙ−ｖａｌｕｅ型データを含むｋｅｙ−ｖａｌｕｅストアを備えたシステムにおいて、
前記ｋｅｙ−ｖａｌｕｅ型データを含むｋｅｙ−ｖａｌｕｅストアを格納する不揮発性メモリと、
前記ｋｅｙの入力に対して、ハッシュ関数を用いて、前記ｋｅｙから前記ｋｅｙ−ｖａｌｕｅ型データが記憶されたアドレスを生成するハッシュ生成部と、
前記ハッシュ生成部により生成された前記アドレスに基づいて、前記不揮発性メモリから前記ｋｅｙに対応するｖａｌｕｅを出力するコントローラと、
を具備することを特徴とするシステム。
【請求項２】
前記ハッシュ生成部は、前記ハッシュ関数を用いて、前記ｋｅｙから前記アドレスを生成する電子回路であることを特徴とする請求項１に記載のシステム。
【請求項３】
前記ハッシュ生成部は前記コントローラに含まれ、前記コントローラは前記ハッシュ関数を用いて、前記ｋｅｙから前記アドレスを生成することを特徴とする請求項１に記載のシステム。
【請求項４】
前記アドレスは前記ｋｅｙ−ｖａｌｕｅ型データが記憶された論理アドレスであり、前記コントローラは、前記論理アドレスを物理アドレスに変換し、前記物理アドレスに基づいて前記ｖａｌｕｅを出力することを特徴とする請求項１乃至３のいずれかに記載のシステム。
【請求項５】
前記アドレスは前記ｋｅｙ−ｖａｌｕｅ型データが記憶された論理アドレスであり、前記ｋｅｙ−ｖａｌｕｅ型データの記憶場所が、前記論理アドレスと、前記不揮発性メモリにおける物理アドレスとを対応付ける変換テーブルで管理されることを特徴とする請求項１乃至３のいずれかに記載のシステム。
【請求項６】
前記コントローラは、前記ｋｅｙ−ｖａｌｕｅ型データにアクセスするためのダイレクトメモリアクセスコントローラをさらに具備することを特徴とする請求項１乃至５のいずれかに記載のシステム。
【手続補正書】
【提出日】平成26年6月2日(2014.6.2)
【手続補正１】
【補正対象書類名】特許請求の範囲
【補正対象項目名】全文
【補正方法】変更
【補正の内容】
【特許請求の範囲】
【請求項１】
入力端から交流または直流電源が入力される電源装置部と、この電源装置部の出力端に接続される１個または直列接続された複数個のＬＥＤチップからなるＬＥＤランプとを備え、１個または複数のＬＥＤチップにはツェナーダイオードが並列に接続されており、且つツェナーダイオードはＬＥＤの順方向電圧に対して逆方向の向きに接続されていることを特徴とするＬＥＤランプ装置。
【請求項２】
前記電源装置部の出力端と前記ＬＥＤランプとの間に定電流素子を直列に接続していることを特徴とする、請求項１に記載のＬＥＤランプ装置。
【請求項３】
前記ツェナーダイオードのツェナー電圧は、ツェナーダイオードに並列に接続されているＬＥＤの順方向降下電圧に対して１０％以上３０％以下の範囲で高いことを特徴とする、請求項１または２に記載のＬＥＤランプ装置。
【請求項４】
前記電源装置部の出力端と前記ＬＥＤランプとの間にキャパシタを直列に接続していることを特徴とする、請求項１に記載のＬＥＤランプ装置。
【請求項５】
前記ＬＥＤランプは、ツェナーダイオードに替えてＬＥＤチップ有し、当該ＬＥＤチップは一方のＬＥＤチップの順方向電圧に対して逆方向の向きに接続されており、接続するＬＥＤチップの数は一方のＬＥＤチップの数と同数とすることを特徴とする請求項４に記載のＬＥＤランプ装置。
【手続補正書】
【提出日】平成26年4月21日(2014.4.21)
【手続補正１】
【補正対象書類名】特許請求の範囲
【補正対象項目名】全文
【補正方法】変更
【補正の内容】
【特許請求の範囲】
【請求項１】
第１の電極と第２の電極との間に発光膜が設けられた発光素子と、
前記発光素子及び薄膜トランジスタが設けられ、且つ上面が前記第２の電極で覆われている画素部と、
前記薄膜トランジスタ上に形成されている層間絶縁膜と、
前記層間絶縁膜の上に形成されている前記第１の電極と、
前記画素部の外周の少なくとも一部において、前記層間絶縁膜に設けられた開口部と、
前記第１の電極の端部を覆うように設けられた隔壁と、を有し、
前記開口部の側面及び底面は、透水性の小さい膜で覆われており、
前記隔壁の端部は前記透水性の小さい膜に接し、且つ当該隔壁の上面が前記第２の電極により覆われていることを特徴とする発光装置。
【請求項２】
請求項１において、
前記薄膜トランジスタは、微結晶半導体を有することを特徴とする発光装置。
【手続補正書】
【提出日】平成26年8月20日(2014.8.20)
【手続補正１】
【補正対象書類名】特許請求の範囲
【補正対象項目名】全文
【補正方法】変更
【補正の内容】
【特許請求の範囲】
【請求項１】
第１の基板と、第２の基板と、を有し、
前記第１の基板は、画素領域と、前記画素領域の外側に周辺駆動回路領域を有し、
前記第１の基板上に、絶縁層を有し、
前記絶縁層は、前記画素領域と前記周辺駆動回路領域の間に開口部を有し、
前記開口部は、前記画素領域を取り囲み、
前記絶縁層は、前記開口部によって前記画素領域と前記周辺駆動回路領域の間で分断され、
前記周辺駆動回路領域の前記絶縁層の上方に、シール材を有し、
前記第２の基板は、前記シール材を介して前記第１の基板に固着され、
前記開口部は、封止膜により被覆され、
前記絶縁層は、有機樹脂材料を有し、
前記画素領域の前記有機樹脂材料は大気に直接接しないことを特徴とする表示装置。
【請求項２】
第１の基板と、第２の基板と、を有し、
前記第１の基板は、画素領域と、前記画素領域の外側に周辺駆動回路領域を有し、
前記第１の基板上に、絶縁層を有し、
前記絶縁層は、前記画素領域と前記周辺駆動回路領域の間に開口部を有し、
前記開口部は、前記画素領域を取り囲み、
前記絶縁層は、前記開口部によって前記画素領域と前記周辺駆動回路領域の間で分断され、
前記周辺駆動回路領域の前記絶縁層の上方に、シール材を有し、
前記第２の基板は、前記シール材を介して前記第１の基板に固着され、
前記開口部は、封止膜により被覆され、
前記絶縁層は、有機樹脂材料を有し、
前記画素領域の前記有機樹脂材料は、表示装置外部の大気に直接接しないことを特徴とする表示装置。
【請求項３】
第１の基板と、第２の基板と、を有し、
前記第１の基板は、画素領域と、前記画素領域の外側に周辺駆動回路領域を有し、
前記第１の基板上に、絶縁層を有し、
前記絶縁層は、複数の開口部を有し、
前記複数の開口部は、それぞれ前記画素領域を取り囲み、
前記複数の開口部のうち第１の開口部は、前記画素領域と前記周辺駆動回路領域の間にあり、
前記絶縁層は、前記複数の開口部によって複数の領域に分断され、
前記周辺駆動回路領域の前記絶縁層の上方に、シール材を有し、
前記第２の基板は、前記シール材を介して前記第１の基板に固着され、
前記複数の開口部は、封止膜により被覆され、
前記絶縁層は、有機樹脂材料を有し、
前記画素領域の前記有機樹脂材料は大気に直接接しないことを特徴とする表示装置。
【請求項４】
第１の基板と、第２の基板と、を有し、
前記第１の基板は、画素領域と、前記画素領域の外側に周辺駆動回路領域を有し、
前記第１の基板上に、絶縁層を有し、
前記絶縁層は、複数の開口部を有し、
前記複数の開口部は、それぞれ前記画素領域を取り囲み、
前記複数の開口部のうち第１の開口部は、前記画素領域と前記周辺駆動回路領域の間にあり、
前記絶縁層は、前記複数の開口部によって複数の領域に分断され、
前記周辺駆動回路領域の前記絶縁層の上方に、シール材を有し、
前記第２の基板は、前記シール材を介して前記第１の基板に固着され、
前記複数の開口部は、封止膜により被覆され、
前記絶縁層は、有機樹脂材料を有し、
前記画素領域の前記有機樹脂材料は表示装置外部の大気に直接接しないことを特徴とする表示装置。
【請求項５】
請求項１乃至４のいずれか一項において、
前記画素領域は、画素電極を有し、
前記封止膜は、前記画素電極と同時に形成された導電膜であることを特徴とする表示装置。
【請求項６】
請求項５において、
前記封止膜は、前記画素領域に電位を供給する機能を有することを特徴とする表示装置。
【請求項７】
請求項１乃至６のいずれか一項において、
前記画素領域は、トランジスタを有することを特徴とする表示装置。
【請求項８】
請求項１乃至７のいずれか一項において、
前記有機樹脂材料はアクリル、ポリアミド、ポリイミドまたはアルキル基を含む酸化珪素から選ばれた一種、または複数種からなることを特徴とする表示装置。
【手続補正書】
【提出日】平成26年4月22日(2014.4.22)
【手続補正１】
【補正対象書類名】明細書
【補正対象項目名】発明の名称
【補正方法】変更
【補正の内容】
【発明の名称】表示装置
【手続補正２】
【補正対象書類名】特許請求の範囲
【補正対象項目名】全文
【補正方法】変更
【補正の内容】
【特許請求の範囲】
【請求項１】
基板上方のトランジスタと、
前記トランジスタ上方の赤色のカラーフィルタと、
前記赤色のカラーフィルタ上方に設けられ、前記トランジスタと電気的に接続された画素電極と、を有し、
前記トランジスタは、半導体層を有し、
前記赤色のカラーフィルタは、前記半導体層と重なる領域を有することを特徴とする表示装置。
【請求項２】
基板上方の複数のトランジスタと、
前記複数のトランジスタ上方の赤色のカラーフィルタと、
前記赤色のカラーフィルタ上方の複数の画素電極と、を有し、
前記複数の画素電極の各々は、前記複数のトランジスタの各々と電気的に接続されており、
前記複数のトランジスタの各々は、半導体層を有し、
前記赤色のカラーフィルタは、前記複数のトランジスタの各々が有する前記半導体層と重なる領域を有することを特徴とする表示装置。
【請求項３】
基板上方の複数のトランジスタと、
前記複数のトランジスタ上方の赤色のカラーフィルタと、
前記赤色のカラーフィルタ上方の複数の画素電極と、を有し、
前記複数の画素電極の各々は、前記複数のトランジスタの各々と電気的に接続されており、
前記複数のトランジスタの各々は、半導体層を有し、
前記赤色のカラーフィルタは、前記複数のトランジスタの各々が有する前記半導体層と重なる領域を有し、
前記赤色のカラーフィルタは、一続きの連続した形状を有することを特徴とする表示装置。
【請求項４】
基板上方のトランジスタと、
前記トランジスタ上方の第１のカラーフィルタと、
前記トランジスタ上方の第２のカラーフィルタと、
前記第１及び前記第２のカラーフィルタ上方に設けられ、前記トランジスタと電気的に接続された画素電極と、を有し、
前記トランジスタは、半導体層を有し、
前記第１のカラーフィルタは、赤色のカラーフィルタであり、
前記第２のカラーフィルタは、青色又は緑色のカラーフィルタであり、
前記第１のカラーフィルタは、前記半導体層と重なる領域を有し、
前記第２のカラーフィルタは、前記画素電極と重なる領域を有することを特徴とする表示装置。
【請求項５】
基板上方の第１乃至第３のトランジスタと、
前記第１乃至前記第３のトランジスタ上方の第１乃至第３のカラーフィルタと、
前記第１乃至前記第３のカラーフィルタ上方の第１乃至第３の画素電極と、を有し、
前記第１のトランジスタは第１の半導体層を有し、前記第１の半導体層は前記第１の画素電極と電気的に接続されており、
前記第２のトランジスタは第２の半導体層を有し、前記第２の半導体層は前記第２の画素電極と電気的に接続されており、
前記第３のトランジスタは第３の半導体層を有し、前記第３の半導体層は前記第３の画素電極と電気的に接続されており、
前記第１のカラーフィルタは赤色のカラーフィルタであり、
前記第２のカラーフィルタは緑色のカラーフィルタであり、
前記第３のカラーフィルタは青色のカラーフィルタであり、
前記第１のカラーフィルタは、前記第１の半導体層と重なる領域と、前記第２の半導体層と重なる領域と、前記第３の半導体層と重なる領域と、前記第１の画素電極と重なる領域と、を有し、
前記第２のカラーフィルタは、前記第２の画素電極と重なる領域を有し、
前記第３のカラーフィルタは、前記第３の画素電極と重なる領域を有することを特徴とする表示装置。
【請求項６】
請求項１乃至５のいずれか一に記載の表示装置と、
ＦＰＣと、を有することを特徴とする表示モジュール。
【請求項７】
請求項１乃至５のいずれか一に記載の表示装置を有することを特徴とする電子機器。
【請求項８】
請求項６に記載の表示モジュールを有することを特徴とする電子機器。
【手続補正書】
【提出日】平成26年6月20日(2014.6.20)
【手続補正１】
【補正対象書類名】特許請求の範囲
【補正対象項目名】全文
【補正方法】変更
【補正の内容】
【特許請求の範囲】
【請求項１】
別の導電性部材と接触する接点部を含む領域の母材表面上に、最表面にスズが露出した領域と銅−スズ合金が露出した領域とよりなる複合被覆層が形成され、前記複合被覆層の表面の光沢度が５０〜１０００％の範囲にあることを特徴とするコネクタ端子。
【請求項２】
前記複合被覆層の厚さが０．５〜５．０μｍの範囲にあることを特徴とする請求項１に記載のコネクタ端子。
【請求項３】
前記複合被覆層の表面の光沢度が１００〜８００％の範囲にあることを特徴とする請求項１又は２に記載のコネクタ端子。
【請求項４】
前記母材が銅又は銅合金よりなることを特徴とする請求項１から３のいずれかに記載のコネクタ端子。
【請求項５】
前記母材がアルミニウム又はアルミニウム合金よりなることを特徴とする請求項１から３のいずれかに記載のコネクタ端子。
【請求項６】
前記母材と前記複合被覆層との間にニッケルよりなる中間層をさらに有することを特徴とする請求項４又は５に記載のコネクタ端子。
【請求項７】
前記中間層の厚さが３μｍ以下であることを特徴とする請求項６に記載のコネクタ端子。
【請求項８】
前記複合被覆層の表面における平均算術粗さは、少なくとも一方向で０．１５μｍ以下であり、全方向で３．０μｍ以下であることを特徴とする請求項１から７のいずれか１項に記載のコネクタ端子。
【請求項９】
母材表面の少なくとも一部の領域に、最表面にスズが露出した領域と銅−スズ合金が露出した領域よりなる複合被覆層が形成され、前記複合被覆層の表面の光沢度が５０〜１０００％の範囲にあることを特徴とするコネクタ端子用材料。
【請求項１０】
前記母材が銅又は銅合金よりなることを特徴とする請求項９に記載のコネクタ端子。
【請求項１１】
前記母材がアルミニウム又はアルミニウム合金よりなることを特徴とする請求項９に記載のコネクタ端子。
【請求項１２】
前記母材と前記複合被覆層との間にニッケルよりなる中間層をさらに有することを特徴とする請求項１０又は１１に記載のコネクタ端子。
【請求項１３】
前記複合被覆層の表面における平均算術粗さは、少なくとも一方向で０．１５μｍ以下であり、全方向で３．０μｍ以下であることを特徴とする請求項９から１２のいずれか１項に記載のコネクタ端子用材料。
【請求項１４】
別の導電性部材と接触する接点部を含む領域の母材表面上に、最表面にスズが露出した領域と銅−スズ合金が露出した領域よりなる複合被覆層を有する端子材料よりなるコネクタ端子の製造方法において、
前記銅−スズ合金が前記複合被覆層の表面全体において占める面積の割合である合金露出量を変化させた複数の試験試料を用いて、前記合金露出量と前記複合被覆層の表面の光沢度との関係性を見積もる第一の工程と、
前記試験試料とは別の前記端子材料に対して、前記複合被覆層の表面の光沢度を計測し、前記第一の工程において見積もられた前記合金露出量と前記光沢度との関係性に基づいて、前記端子材料における前記合金露出量を前記計測された光沢度の値によって規定する第二の工程と、を有することを特徴とするコネクタ端子の製造方法。
【請求項１５】
母材表面の少なくとも一部の領域に、最表面にスズが露出した領域と銅−スズ合金が露出した領域よりなる複合被覆層を有するコネクタ端子用材料の製造方法において、
前記銅−スズ合金が前記複合被覆層の表面全体において占める面積の割合である合金露出量を変化させた複数の試験試料を用いて、前記合金露出量と前記複合被覆層の表面の光沢度との関係性を見積もる第一の工程と、
前記試験試料とは別の前記コネクタ端子用材料に対して、前記複合被覆層の表面の光沢度を計測し、前記第一の工程において見積もられた前記合金露出量と前記光沢度との関係性に基づいて、前記コネクタ端子用材料における前記合金露出量を前記計測された光沢度の値によって規定する第二の工程と、を有することを特徴とするコネクタ端子用材料の製造方法。
【手続補正２】
【補正対象書類名】明細書
【補正対象項目名】発明の名称
【補正方法】変更
【補正の内容】
【発明の名称】コネクタ端子、コネクタ端子用材料、コネクタ端子の製造方法、およびコネクタ端子用材料の製造方法